【事件の表示】
　上記当事者間の登録第４６８６５０１号商標の登録取消審判事件について、次のとおり審決する。
【結　論】
　本件審判の請求は、成り立たない。
　審判費用は、請求人の負担とする。
【理　由】
１　本件商標
　本件登録第４６８６５０１号商標（以下、「本件商標」という。）は、「ＥＱＵＡＬＩＺＥＲ」の欧文字を標準文字で書してなり、平成１４年１０月１８日に登録出願、第２５類「洋服，コート，セーター類，ワイシャツ類，寝巻き類，下着，水泳着，水泳帽，Ｔシャツ」を指定商品として、同１５年６月２７日に設定登録されたものである。
　
２　請求人の主張
　請求人は、商標法第５０条第１項の規定により、本件商標の登録を取り消す、審判費用は被請求人の負担とする、との審決を求め、その理由を要旨以下のように述べ、証拠方法として、甲第１号証及び甲第２号証を提出している。
　本件商標は、その指定商品について、継続して３年以上日本国内において商標権者、専用使用権者又は通常使用権者のいずれかによって使用された事実がないものであるから、商標法第５０条第１項の規定により、その登録は取消されるべきである。
　
３　被請求人の答弁
　被請求人は、結論同旨の審決を求め、その理由を要旨以下のように述べ、証拠方法として、乙第１号証ないし乙第９号証（枝番号を含む。）を提出している。
（１）被請求人の本店所在地は現在、千葉県市川市柏井町４−５１３−７６であるが、営業所の所在地は千葉県鎌ヶ谷市南鎌ヶ谷４−１−１にある。
（２）被請求人は、本件商標をその指定商品中「ワイシャツ」について、中国から日本国内に実際に輸入し販売している。
ア　乙第１号証の１ないし４
　ＥＱＵＡＬＩＺＥＲブランドが襟ネームとタッグに表示された、ポリエステル５５％、綿４５％ＭＡＤＥ　ＩＮ　ＣＨＩＮＡ、サイズＭ、えり回り３９−ゆき８２、の長袖ワイシャツの表裏の写真と襟ネームの拡大写真とタッグの拡大写真。
イ　乙第１号証の５ないし８
　ＥＱＵＡＬＩＺＥＲブランドが印刷された包装用袋の表裏の写真と袋に入った襟ネームの拡大写真とタッグの拡大写真。
ウ　乙第２号証
　ワイルド商事商品台帳記載、ブランドＥＱＵＡＬＩＺＥＲの品名クレリックドレスシャツの品番Ａ−１０白ドビーボタンダウン、Ａ−２０クレリックレギュラー、Ａ−３０クレリックＢ／Ｄ衿高、Ａ−４０ドウエイ２ボタン衿高の頁コピー。
エ　乙第３号証
　ワイルド商事のドイト（株）宛ての２００８年Ｓ／Ｓ商品リスト記載のＥＱＵＡＬＩＺＥＲブランドの商品名、クレリックレギュラー（半袖）、クレリックボタンダウン（半袖）、ドウエイ２ボタン襟だか（半袖）の頁コピー。
オ　乙第４号証　
　株式会社ドン・キホーテ　０７０　ＭＥＧＡ　ドン・キホーテ柏店の０００９８８　有限会社ワイルド商事　御中とした仕入商品発注書、発注日２００８年１２月１１日、印刷日時２００８年１２月１１日０４時２４分、特価クレリックシャツ発注数量６０、発注単価７００．００、発注金額４２，０００の発注書コピー。
カ　乙第５号証
　株式会社ドン・キホーテ　０１８　原木西舟橋店の０００９８８　有限会社ワイルド商事　御中とした仕入商品発注書、発注日２００８年１２月１７日、印刷日時２００８年１２月１７日１１時０４分、特価クレリックシャツ発注数量７０、発注単価７００．００、発注金額４９，０００の発注書コピー。
キ　乙第６号証
　本社東京都台東区柳橋２丁目２１番３号所在、東京アスリー株式会社から有限会社ワイルド商事に対する発注書　発行日２１年１月１３日、支店千葉市美浜区ひび野２−４所在のプレナ幕張２Ｆマカラズヤ店に直送、Ａ−４０　ドウエイ２ボタン、１カートン入数７０枚、３Ｌ柄入、ドウエイ２ボタン、（Ａ−４０型）１カートン５０の発注書コピー。
ク　乙第７号証
　株式会社ドン・キホーテ　０３５　ピカソ　シンコイワテンの０００９８８　有限会社ワイルド商事に対する仕入伝票　発注日２００９年２月１７日、トッカ　クレリックシャツ、数量４２、原単価７００円、原価金額２９，４００の仕入伝票コピー。
ケ　乙第８号証
　株式会社ドン・キホーテ　０６４　三宮店の０００９８８　有限会社ワイルド商事　御中とした仕入商品発注書、発注日２００９年０２月２３日、印刷日時２００９年０２月２３日１８時１０分、特価クレリックシャツ発注数量７０、発注単価７００．００、発注金額４９，０００の発注書コピー。
コ　乙第９号証
　２００８年４月１３日発行、山東省姻台国際海運公司ＳＨＡＮＤＯＮＧＰＲＯＶＩＮＣＥ　ＹＡＮＴＡＩ　ＩＮＴＥＲＮＡＴＩＯＮＡＬ　ＭＡＲＩＮＥ　ＳＨＩＰＰＩＮＧ　Ｃ０．港から港又は合同運送船荷申告書中、コンテナー番号／シール番号、商標＆番号の欄に、ＥＱＵＡＬＩＺＥＲのブランドとＳ／ＮＯ　ＴＯＫＹＯ／ＪＡＰＡＮ　ＭＡＤＥ　ＩＮ　ＣＨＩＮＡの記載があり、隣の欄にＱＵＡＮＴＩＴＹ（数量）とＤＥＳＣＲＩＰＴＩＯＮ　ＯＦ　ＧＯＯＤＳ（商品の説明）に、ＭＥＮ’Ｓ　ＳＨＩＲＴＳ（男物シャツ）の記載。
　以上をもって、ＥＱＵＡＬＩＺＥＲブランドのシャツを中国から日本国内に実際に輸入し、販売している事実を証明する。
　よって、被請求人は、本審判請求前３年以内に登録商標を指定商品中「ワイシャツ」に使用しており、さらに現在も引き続き使用しているので、本件商標は商標法第５０条第１項の規定に該当しないものである。
　
４　被請求人の弁駁
　請求人は、前記３の被請求人の答弁に対して、何ら弁駁をしていない。
　
５　当審の判断
（１）被請求人の提出した証拠によれば、以下の事実が認められる。
　乙第１号証の１、３、４、５、７及び８によれば、ワイシャツの襟ネーム、タグ及び包装袋（ビニール袋）には「ＥＱＵＡＬＩＺＥＲ」の文字が表示され、また、襟には「ＭＡＤＥ　ＩＮ　ＣＨＩＮＡ」の文字が表示されていることが認められる。
　乙第２号証は、被請求人が「ワイルド商事商品台帳」とするものであるが、これには、上部のブランドの欄に「ＥＱＵＡＬＩＺＥＲ」、入荷予定日の欄に「１０／２０」の文字が記載され、その下に、乙第１号証に示されたワイシャツの襟ネーム及びタグを有する４枚のワイシャツの写真及び商品の生地模様の写真がある。中段以下の品番及びアイテムの欄には、「Ａ−１０　白ドビーボタンダウン」「Ａ−２０　クレリクックレギュラー」「Ａ−３０　クレリクックレＢ／Ｄ衿高」「Ａ−４０　ドウエイ２ボタン衿高」等の記載、左下には、品名「クレリックドレスシャツ」、上代「１２９０」、単価「６７０」、値入「４８％」の記載、右下には、被請求人の名称、住所、電話番号等が記載されている。
　乙第６号証は、東京アスリー株式会社から被請求人あての発注書である。これには、「発行日２１年１月１３日」、直送先名「プレナ幕張２Ｆマカラズヤ」、品番及び品名の欄に「Ａ−４０　ドウエイ２ボタン」、「１カートン　入数７０枚」等の記載がある。
　乙第９号証は、中国の海運会社（ＳＨＡＮＤＯＮＧ　ＰＲＯＶＩＮＣＥ　ＹＡＮＴＡＩ　ＩＮＴＥＲＮＡＴＩＯＮＡＬ　ＭＡＲＩＮＥ　ＳＨＩＰＰＩＮＧ　ＣＯ．）が荷送人の「ＳＨＡＯＸＩＮＧ　ＮＥＷ　ＧＵＡＮＺＨＯＵＧ　ＧＡＲＭＥＮＴＳ　ＣＯ．，ＬＴＤ．」に２００８年４月１３日に発行した「ＢＩＬＬ　ＯＦ　ＬＡＤＩＮＧ」（船荷証券）である。これには、着荷通知先「ＷＩＬＤ　ＣＯ．，ＬＴＤ．　４−５１３−７６　ＫＡＳＨＩＷＡＩＣＨＯ　ＩＣＨＩＫＡＷＡ−ＣＩＴＹ　ＣＨＩＢＡ」、船積港「ＳＨＡＮＧＨＡＩ」（上海）、陸揚地「ＴＯＫＹＯ」（東京）、引渡地「ＴＯＫＹＯ」（東京）、ＭＡＲＫＳ＆ＮＵＭＢＥＲＳの欄に「ＥＱＵＡＬＩＺＥＲ」「ＭＡＤＥ　ＩＮ　ＣＨＩＮＡ」、商品の説明「ＭＥＮ’Ｓ　ＳＨＩＲＴＳ」（男性用シャツ）などの記載がある。
（２）以上の認定事実を総合すると、被請求人は、本件審判請求の登録日である平成２１年１月２３日前３年以内の２００８年４月ころ、中国で製造され、本件商標が付された男性用ワイシャツを輸入していたと認められるものであり、また、国内の小売店を営む顧客から平成２１年１月１３日に被請求人の商品台帳で使用している品番及び品名「Ａ−４０　ドウエイ２ボタン」を記載した発注書によって、ワイシャツの注文を受けたことが確認できる。そして、発注を受けた品番のワイシャツには、襟ネーム、タグ及び包装袋（ビニール袋）に本件商標が表示されていると認められるものである。
　してみれば、本件商標が表示されたワイシャツが、本件審判請求の登録前３年以内に被請求人によって販売されていたものと推認することができる。
　したがって、本件商標は、本件審判請求の登録前３年以内に日本国内において、被請求人により「ワイシャツ」に使用されていたというべきであるから、本件商標の登録は、商標法第５０条の規定により、取り消すべきではない。
　よって、結論のとおり審決する。